Podtech/llm-jp-corpus-v4-ja_patent huggingface dataset:
(57)【要約】【課題】靴の内部が湿ること、接触部以外に消臭効果を発揮できないこと、薬剤が残留するといったことがなく、清涼感という実際の体感により消臭効果及びその持続期間を実感できる靴用消臭剤を提供すること。【解決手段】メントールと、消臭及び／又は抗菌作用のある柿タンニン及び酸化銀とを含有し、粉末状又は粒状をし、靴の内部に散布して使用する。【選択図】なし【特許請求の範囲】
【請求項１】
メントールと、消臭及び／又は抗菌作用のある柿タンニン及び酸化銀とを含有し、粉末状又は粒状をし、靴の内部に散布して使用することを特徴とする靴用消臭剤。
【発明の詳細な説明】
【技術分野】
【０００１】
本発明は、靴用消臭剤に関するものである。
【背景技術】
【０００２】
従来、靴用消臭剤として、例えば、液状の消臭及び／又は抗菌成分を含有する物質を靴の内部にスプレーして使用したり、中仕切りに含有させることにより使用するものが汎用されている。
【０００３】
しかしながら、この種の靴用消臭剤は、液状のため、大量に靴の内部にスプレーすると靴の内部が湿ってしまうという問題があり、一方、中仕切りに含有させることにより使用する場合は、接触部のみにしか効果が発揮できないという問題があった。
また、液状の靴用消臭剤は、消臭効果及びその持続期間を実感しにくいという問題もあった。
【０００４】
一方、ミョウバン、タルク及び酸化亜鉛等に消臭及び／又は抗菌成分を含有させた粉状の靴用消臭剤が実用化されているが、靴の内部に粉状の薬剤が残留したり、靴下に付着して室内を汚すといった問題があり、また、上記の液状の靴用消臭剤と同様に、消臭効果及びその持続期間を実感しにくいという問題もあった。
【発明の概要】
【発明が解決しようとする課題】
【０００５】
本発明は、上記従来の靴用消臭剤の有する問題点に鑑み、靴の内部が湿ること、接触部以外に消臭効果を発揮できないこと、薬剤が残留するといったことがなく、清涼感という実際の体感により消臭効果及びその持続期間を実感できる靴用消臭剤を提供することを目的とする。
【課題を解決するための手段】
【０００６】
上記目的を達成するため、本発明の靴用消臭剤は、メントールと、消臭及び／又は抗菌作用のある柿タンニン及び酸化銀とを含有し、粉末状又は粒状をし、靴の内部に散布して使用することを特徴とする。
【発明の効果】
【０００７】
本発明の靴用消臭剤によれば、メントールと、消臭及び／又は抗菌作用のある柿タンニン及び酸化銀とを含有し、粉末状又は粒状をし、靴の内部に散布して使用することから、メントールの昇華作用により、靴の内部が湿ることなく、靴の内部全体に拡散することで効果を広い空間に行きわたらせ、靴の内部に薬剤が残留せず、薬剤が靴下に付着して室内を汚すこともなく、消臭及び抗菌効果を十分に発揮することができる。
また、メントールは人の体温付近から昇華を始めることから、靴の内部に昇華して拡散する際に清涼感として足で消臭及び抗菌成分の存在を体感でき、それが感じる期間は効果が持続していることを実感することができる。
靴及び靴下、足の臭いの原因はイソ吉草酸及び／又は細菌繁殖による代謝物である。イソ吉草酸及び／又は細菌繁殖による代謝物は、柿タンニン及び酸化銀の消臭及び／又は抗菌作用のある成分である程度の抑制効果は発揮できるものの、薬剤と原因物質が接触しなければ十分な効果が得られない。しかし、メントールと柿タンニン及び酸化銀の消臭及び／又は抗菌作用のある物質とを組み合わせることで、メントールの体温付近の昇華作用と柿タンニン及び酸化銀の消臭及び／又は抗菌作用との相互効果によりほぼ完全に消臭することができる。
【発明を実施するための形態】
【０００８】
以下、本発明の靴用消臭剤の実施の形態を説明する。
【０００９】
この靴用消臭剤は、メントールと、消臭及び／又は抗菌作用のある柿タンニン及び酸化銀とを含有し、粉末状又は粒状をし、靴の内部に散布して使用するものである。
【００１０】
この場合において、メントールは、０．１〜９９．９重量％（好ましくは、５０重量％以上、より好ましくは、９０重量％以上）とし、消臭及び／又は抗菌作用のある柿タンニン及び酸化銀は、合計で０．１〜９９．９重量％である。
ただし、その他の機能性を有する添加剤を含有する場合を排除しない。
【００１１】
この靴用消臭剤は、それぞれ粉末状又は粒状のメントールと消臭及び／又は抗菌作用のある柿タンニン及び酸化銀とを混合したり、一部液体の原材料を混合した後、乾燥させることにより粉末状又は粒状にすることによって製造することができる。
【実施例】
【００１２】
以下、本発明の靴用消臭剤について、より具体的に説明する。
【００１３】
［試料］
まず、以下の試料（試料１〜４は比較例、試料５は実施例。）を作成した。
試料１：メントール（鈴木薄荷社製、薄荷粉脳）
試料２：柿タンニン（リリース科学工業社製、ＳＢＰ−Ｋ１００）を精製水にて１０％に希釈
試料３：酸化銀（抗菌化研社製、ＢＩＯＳＵＲＥ  ＳＧＩ）を精製水にて１％に希釈
試料４：柿タンニン（同上）及び酸化銀（同上）をそれぞれ１０％及び１％に精製水にて希釈
試料５：メントールに柿タンニン及び酸化銀（各々同上）をそれぞれ１０％及び１％添加
【００１４】
［試験方法］
それぞれの試料を調整し、各１．０ｇをそれぞれ１Ｌフラスコに投入するとともに、これにイソ吉草酸５０ｐｐｍ投入し、密封して３６℃にて放置する。３０分後に北川式検知管によりイソ吉草酸濃度を測定した。これとは別に１Ｌフラスコに前述と同じ量のイソ吉草酸を投入し、密封して３６℃にて放置、３０分後に同方法を用いて空試験値とし、各々の消臭率を算出した。
その結果を表１に示す。
【００１５】
【表１】
2018175101.tif 000002
【００１６】
表１に示す試験結果のとおり、メントールに柿タンニン及び酸化銀を添加することによって、メントールの昇華作用と柿タンニン及び酸化銀の消臭及び／又は抗菌作用との相互効果によりほぼ完全に消臭することができることを確認できた。
【００１７】
以上、本発明の靴用消臭剤について、その実施例に基づいて説明したが、本発明は上記実施例に記載した構成に限定されるものではなく、その趣旨を逸脱しない範囲において適宜その構成を変更することができるものである。
【産業上の利用可能性】
【００１８】
本発明の靴用消臭剤は、靴の内部が湿ること、接触部以外に消臭効果を発揮できないこと、薬剤が残留するといったことがなく、清涼感という実際の体感により消臭効果及びその持続期間を実感できる特性を有していることから、靴の消臭の用途に好適に用いることができる。
(57)【要約】【課題】脹脛は第２の心臓と言われているが仰向けに就寝中は上下の布団等で押さえられ血流に支障が発生しているものを、間接的な方法で脹脛を持ち上げ、下からの圧力を減らして血流を良くする対策を提供する。【解決手段】仰向けに就寝中、膝Ｆを持ち上げ同時に脹脛Ｅを持ち上げる方法として、寝巻用ズボンＢ裏の膝下Ｆ１あたりに膝上げ用具Ａを縫い付けて、クッション材Ｄにより膝Ｆが持ち上がり、同時に脹脛Ｅも持ち上がって、脹脛Ｅに対する下からの圧力が弱まり、脹脛Ｅの血流が良くなり足が暖まり、足吊りの減少、足の疲労回復が早まる。【選択図】図２
2018175813.tif 000002
【特許請求の範囲】
【請求項１】
仰向けに寝た場合の脹脛に対する足自体の重さ、上布団等の重さによる下布団等からの圧力を弱めるため、間接的に膝を持ち上げ脹脛に対する下からの圧力を弱め、脹脛の血流を良くすることを特徴とする膝上げ用具。
【請求項２】
請求項１の膝を間接的に持ち上げる方法は膝下又はそれ以上の長さの寝巻用ズボンで膝下の外側に布でクッション材を股下の方から入れる袋を縫い付け、自分に合わせた厚さ、長さのクッション材を入れて膝を持ち上げることを特徴とする膝上げ用具。
【請求項３】
請求項２で寝巻用ズボンの膝下にクッション材を入れる袋を縫い付ける理由は横向きに寝た場合、膝下の袋が膝の横の方に移らず、横向きの膝を持ち上げての膝の傷害発生が無いようにしたことを特徴とする膝上げ用具。
【請求項４】
請求項１で脹脛の血流が良くなることは足が暖まる現象、足吊りの減少、足の疲労回復が早まり、長期的に体全体に対する良い結果が推察されることを特徴とする膝上げ用具。
【発明の詳細な説明】
【技術分野】
【０００１】  仰向けに寝た場合、脹脛に対する下からの圧力を減らすため、直接でなく間接的に用具を装着して、脹脛の血流を良くすることに関することである。
【背景技術】
【０００２】  第２の心臓と言われる脹脛に対する対策は手又は用具に依るマッサージと布等を装着する対策、何も触れない対策は足湯や薬、長時間触れないで効果のある対策は無いようである。
【発明の開示】
【発明が解決しようとする課題】
【０００３】  仰向けに寝た場合の脹脛に対する布団等からの下からの圧力を出来る限り少なくするため、間接的に下からの圧力を減らすものを提供する。
【発明が解決するための手段】
【０００４】  仰向けに寝た場合、間接的に膝を持ち上げて脹脛に触れることなく、下布団等からの圧力を減らし脹脛の血流を良くすることを特徴としている。
【０００５】  膝を持ち上げる方法として寝巻用ズボンの膝下の外側にクッション材を股の方から入れる袋を縫い付け、クッション材を入れて膝を持ち上げることとする。
【０００６】  上項で寝巻用ズボンを使用する理由は、外側に縫い付けた袋が横回りに移動せず、横向きの膝の持ち上げての膝の傷害発生を無いようにする。
【０００７】  膝を持ち上げることにより、脹脛に対する布団等の下からの圧力が減り血流が良くなることは足が暖まり、足吊りの減少、足の疲労回復と長期的に体全体に対する良い結果が期待される。
【発明の効果】
【０００８】  上述したように仰向けに就寝した場合、膝を上げる用具により脹脛の下からの圧力を減らして血流が良くなり、長期的に体全体に対する健康維持の貢献が期待される。
【図面の簡単な説明】
【０００９】
【図１】寝巻用ズボンの裏側の膝下に布を袋状に縫い付けた裏面図
【図２】仰向けに就寝した場合の膝下に用具を縫い付けた断面図
【発明を実施するための形態】
【００１０】  以下、本発明の実施の形態を図１、図２に基づいて説明する。
【００１１】  図１に於いて、Ａは膝上げ用具でＢは寝巻用ズボン、Ｃは長方形の布で縫線Ｃ１の３辺を縫い付け袋Ｃとし、Ｃ２は入出口、入出口Ｃ２よりクッション材Ｄを入出させる役目とし左右同形である。
【００１２】図２に於いて、脹脛はＥ，膝はＦ、膝下はＦ１で膝下Ｆ１の袋Ｃに入ったクッション材Ｄを置いて膝Ｆを持ち上げることにより同時に脹脛Ｅを持ち上げた図である。
【００１３】上項で脹脛Ｅが持ち上がることは下布団等からの圧力が弱まり、脹脛Ｅの血流が良くなり、足吊りの減少、足の疲労回復が早まる。
【００１４】  膝上げ用具Ａの長期継続使用は体全体に対する健康に貢献が期待される。
【符号の説明】
【００１５】Ａ      膝上げ用具
Ｂ      寝巻用ズボン
Ｃ      袋
Ｃ１    縫い線
Ｃ２    入出口
Ｄ      クッション材
Ｅ      脹脛
Ｆ      膝
Ｆ１    膝下
【図１】
2018175813.tif 000003
【図２】
2018175813.tif 000004
(57)【要約】      （修正有）【課題】花を広口の花器に直接いれると花が傾、倒れ見栄えがわるかったのでこれを解決する。【解決手段】長さのある筒状部材を複数設け、複数筒状部材を輪状に固定形成するストッパーを兼ねる輪状部材を設け、輪状筒状上部に緩衝材テープを数重巻いた仏花活け花安定具。【選択図】図３
2018175819.tif 000002
【特許請求の範囲】
【請求項１】
長さのある筒状部材を複数設け、複数筒状部材を輪状に固定形成するストッパーを兼ねる輪状部材を設け、輪状筒状上部に緩衝材テープを数重巻いたことを特徴とする仏花活け花安定具。
【発明の詳細な説明】
【技術分野】
【０００１】本発明は、花を仏壇に見栄えよくお供えできる仏花活け花に関するものである。
【背景技術】
【０００２】従来、仏花を直に花器に供えていた。
【発明の概要】
【発明が解決しようとする課題】
【０００３】そのために、次のような問題点があった。
（イ）花を広口の花器に直接いれると花が傾、倒れ見栄えがわるかった。
本発明は、これらの問題点を解決するためになされたものである。
【課題を解決するための手段】
【０００４】長さのある筒状部材を複数設け、複数筒状部材を輪状に固定形成するストッパーを兼ねる輪状部材を設け、輪状筒状上部に緩衝材テープを数重巻いた。
以上を特徴とする仏花活け花安定具である。
【発明の効果】
【０００５】花器に装着された仏花活け花安定具に花の茎を差し込むだけで花が倒れることもなく見栄えよく活け花できる。茎と茎の接触もなくなり腐敗の進行を防ぐことができ切り花が長持ちする。
【図面の簡単な説明】
【０００６】
【図１】本発明の平面図である。
【図２】本発明の側面図である。
【図３】本発明を花器に装着し切り花の茎を筒状部材に挿し入れ茎が筒状部材で安定に保持され切り花が見栄えよく活け花された使用状態を示す図である。
【発明を実施するための形態】
【０００７】以下、本発明の実施の形態について説明する。
長さのある筒状部材（１）を複数設け、複数筒状部材を輪状に固定形成するストッパーを兼ねる輪状部材（２）を設け、輪状筒状上部に緩衝材テープ（３）を数重巻いた。
本発明は以上のような構成である。
これを使用するときは、仏花活け花安定具を花器に装着し切り花をそれぞれの筒状部材に挿しこみ使用する。長さのある筒状部材により切り花が倒れることもなく見栄えよく切り花を供えることができる。花器の口径と筒状部材との隙間の調節は数重巻いてある緩衝テープにより調節できる。
【符号の説明】
【０００８】１  筒状部材
２  輪状部材
３  緩衝テープ
４  切り花
５  花器
【図１】
2018175819.tif 000003
【図２】
2018175819.tif 000004
【図３】
2018175819.tif 000005
(57)【要約】【課題】これまで大きな手間を要していた解答欄から数字を探し出す作業を簡単にし、同じ数字が幾つあるかを簡単に数えられる様にして見落としを防ぐ。【解決手段】チェック表にドットを打つ事により、そのドットの位置に対応する解答欄の位置を見ることで簡単に数字を見つけ出すことが出来て、同時にドットの数を数えることで同じ数字が幾つあるかも簡単に数えられる様にする。【選択図】図１
2018175818.tif 000002
【特許請求の範囲】
【請求項１】
解答欄の数字の位置に対応したドットをチェック表に打つことにより、解答欄の数字を簡単に見つける事と、同じ数字が幾つあるかを簡単に数えられる様にしたナンバークロスワードパズル。
【発明の詳細な説明】
【技術分野】
【０００１】  本発明は、ナンバークロスワードパズルの数字を探す方法に関するものである。
【背景技術】
【０００２】  ナンバークロスワードパズルは、マスの中に記された同じ数字に同じ文字を記入することによってクロスワードを完成させるパズルだが、大規模なナンバークロスワードパズルになると縦３０マス×横４０マスなど１０００マスを優に超えるものもあり、その中から同じ数字を探し出すのに大きな手間を要した。特に漢字を使った漢字ナンバークロスワードは、使用される文字が１００個を超えることも珍しくなく、パズルを解くプレイヤーにとって数字を探す作業が大きなストレスとなっていた。【０００３】  また、同じ数字が解答欄の中に幾つあるかが解らない為、数字を見落とすことも多くあった。【０００４】  数字を探す作業のストレスを軽減させる手段の一つとして、解答欄であるマスとは別にチェック表が広く採用されている。これにより解答した数字に対応する文字を書き留めておける様になったが、相変わらずマスの中から数字を探す作業の労力は変わっていない。【０００５】  数字を早く探す手段として特開２００７−３２５９０２の様に、解答欄の上に早見表を付けるといった物がある。しかしこの手段では早見表の中から数字を探して更に解答欄から数字を探すという二度手間になる事に加え、早見表を載せるのに大きなスペースを取るという事もあり、課題の解決には至っていない。
【先行技術文献】
【特許文献】
【０００６】
【特許文献１】特開２００７−３２５９０２号公報
【発明の概要】
【発明が解決しようとする課題】
【０００７】  解決しようとする問題点は、ナンバークロスワードパズルの解答欄から数字を探す作業に大きな手間を要するという点と、同じ数字が幾つあるかが解らない為に見落としてしまうという点である。
【課題を解決するための手段】
【０００７】  本発明は、ナンバークロスワードパズルのチェック表にドットを打ち、解答欄のどの位置に数字があるかを表すものである。
【発明の効果】
【０００８】  本発明のチェック表にあるドットの位置に対応する解答欄の位置を見れば、簡単に数字を見つける事ができる。また、ドットの数を数えることで解答欄に同じ数字が幾つあるかを簡単に数えられ、見落としを防ぐことができるという利点がある。
【図面の簡単な説明】
【０００９】
【図１】図１はチェック表にドットを打った図である。
【図２】図２はチェック表の一部を拡大し、解答欄の数字の１と２をそれぞれマルと三角を付けて、どの様に対応しているかを示した図である。
【発明を実施するための形態】
【００１０】  図１の形態が製品の完成形であり、そのまま実施出来る。
【産業上の利用可能性】
【００１１】  ナンバークロスワードパズルは、それだけを集めた雑誌が定期的に刊行されるなど広く親しまれている娯楽であり、多くの人の利益にかなう。
【図１】
2018175818.tif 000003
【図２】
2018175818.tif 000004
(57)【要約】【課題】効率良く洗濯物の着脱作業を行うことが出来るうえ、収納性に優れ、多種類の洗濯物を干すことが出来る物干しハンガーを提供すること。【解決手段】ハンガー肩掛け部の上部及びハンガー下側枠部の上部に洗濯物を鋏持するためのバーをハンガーフック支持軸に通して連結して取り付け、上下可動とし、コイルバネで弾性を持たせることにより左右同時に洗濯物を挟持することが出来る。該洗濯物鋏持用バーは片方の手で開放し、もう一方の手で洗濯物の装着作業を行うようになっているが、該支持軸上部に設けられたストッパーにより解放状態のまま固定した状態で物干し竿に該ハンガーを掛けて洗濯物の装着作業を行うことも出来る。ハンガーと挟持用バーが一体となっているためハンガー同士が絡み合うこともなく、収納性に優れている。またハンガーの肩掛け部と下側枠部のいずれかが使えるので、多種類の洗濯物を干すことが出来る。【選択図】図１
2018175816.tif 000002
【特許請求の範囲】
【請求項１】
ハンガー肩掛け部の上部に洗濯物を鋏持するためのバーをハンガーフック支持軸に通して上下可動となるように取り付けて、コイルバネでその上下動に弾性を付加することにより該洗濯物挟持用バーをハンガー肩掛け部に圧着することを特徴とする物干しハンガー
【請求項２】
前記の洗濯物鋏持用バーは、ハンガーフック支持軸に設けられた溝を経由し、ハンガー首部の穴を通ってハンガー下側枠部の上部に取り付けられたもう一つの洗濯物鋏持用バーと連動するように連結されていて、ハンガー下側枠部にも圧着することを特徴とする請求項１に記載の物干しハンガー
【請求項３】
前記の洗濯物鋏持用バーはハンガーフック支持軸に沿って持ち上げ、開放するようになっているが、該支持軸上部に設けられた傘の上はじきと同様の形状をしたストッパーにより解放状態のまま固定することを特徴とする請求項１又は２に記載の物干しハンガー
【発明の詳細な説明】
【技術分野】
【０００１】  本考案は、ハンガーに洗濯物を挟むバーを取り付けた物干しハンガーに関するものである。
【背景技術】
【０００２】  ハンガーに洗濯物を干す際に風で飛ばされないように洗濯ピンチで一か所ずつ止めることが多かった。
【発明の概要】
【発明が解決しようとする課題】
【０００３】  ハンガーに洗濯物を取り付け及び取り外す際に洗濯ピンチで一か所ずつ止め外しすることは大変手間がかかるうえ、洗濯ピンチ付きのハンガーの場合は収納の際ピンチ同志が絡まり合うという難点があり、洗濯ピンチ付きでない場合は洗濯ピンチを別に収納しなければならないという難点があった。
【課題を解決するための手段】
【０００４】  ハンガー肩掛け部の上部及びハンガー下側枠部の上部に洗濯物を鋏持するためのバーをハンガー支持軸に通して上下可動となるように取り付けて、コイルバネでその上下動に弾性を付加することによりハンガー肩掛け部の上部及びハンガー下側枠部の上部に圧着させる。このことにより従来洗濯ピンチで左右一か所ずつ挟持していたものを左右同時に挟持することが出来る。洗濯物鋏持用バーはハンガーフック支持軸に沿って片方の手で持ち上げ開放し、もう一方の手で洗濯物の装着作業を行うようになっているが、該支持軸上部に設けられた傘の上はじきと同様の形状をしたストッパーにより解放状態のまま固定することが出来るようになっており、固定した状態で物干し竿に該ハンガーを掛けて、洗濯物の装着作業を行うことも出来る。ハンガーと挟持用バーが一体となっているためハンガー同士が絡み合うこともなく、収納性に優れている。またハンガーの肩掛け部と下側枠部のいずれかが使えるので、多種類の洗濯物を干すことが出来る。
【発明の効果】
【０００５】  本考案はハンガーとバー状の狭持体が一体となっていて、左右同時に洗濯物の狭持が出来るので、効率良く洗濯物の着脱作業を行うことが出来る。またハンガー同士が絡み合うこともなく収納性に優れている。さらにハンガーの肩掛け部と下側枠部のいずれかが使えるので多種類の洗濯物を干すことが出来る。
【図面の簡単な説明】
【０００６】
【図１】本発明に係る物干しハンガーの一実施例を示す正図面である。
【図２】本発明に係る物干しハンガーの狭持体を開放し、ストッパーで固定した場合の一実施例を示す正面図である。
【図３】本発明に係る物干しハンガーの狭持体の一実施例を示す正面図である。
【発明を実施するための形態】
【０００７】  ハンガー肩掛け部の上部に洗濯物を鋏持するためのバーをハンガーフック支持軸に通して上下可動となるように取り付けて、ハンガー首部の下に取り付けたコイルバネでその上下動に弾性を付加することによりハンガー肩掛け部に圧着させ、シャツやズボン下などを干すことが出来る。洗濯物挟持バーは左右２か所で洗濯物を挟持することが出来、従来洗濯はさみで一か所ずつ挟持していたものを同時に２か所挟持することが出来る。
【０００８】  又洗濯物鋏持用バーは、ハンガーフック支持軸に設けられた溝を経由し、ハンガーの首部の穴を通ってハンガー下側枠部の上部に取り付けられたもう一つの洗濯物鋏持用バーと連動するように連結されていて、ハンガー下側枠部の上部にも左右２か所で圧着させ、肩掛け部を利用しないときは、手拭やハンカチなどを干すことが出来る。
【０００９】  前記の洗濯物鋏持用バーはハンガーフック支持軸に沿って片方の手の指で持ち上げ開放し、もう一方の手で洗濯物の装着作業を行うようになっているが、該支持軸上部に設けられた傘の上はじきと同様の形状をしたストッパーにより解放状態のまま固定することが出来るようになっており、固定した状態で物干し竿に該ハンガーを掛けて、洗濯物の装着作業を行うことも出来る。
【実施例】
【００１０】  以下添付図面に従って一実施例を説明する。ハンガー肩掛け部１の上部に洗濯物鋏持バー２をハンガーフック支持軸３に通して上下可動となるように取り付けて、ハンガー首部の下に取り付けたコイルバネ４でハンガー肩掛け部に圧着させる。【００１１】  又該洗濯物鋏持用バーは、ハンガーフック支持軸に設けられた溝５を経由し、ハンガー首部の穴６を通ってハンガー下側枠部７の上部に取り付けられたもう一つの洗濯物鋏持用バー８と連動するように連結されていて、ハンガー下側枠部の上部にも２か所で圧着させ、肩掛け部を利用しないときは、手拭やハンカチ、靴下などの小物を干すときに利用出来る。【００１２】  洗濯物鋏持用バー２及び８は、フック基部９と洗濯物鋏持用バー２の下部を指でつまんでバネを圧縮するかハンガー首部の上部と洗濯物鋏持用バー８の下部を指でつまんでバネを圧縮する方法によりハンガーフック支持軸に沿って持ち上げ開放するようになっており、通常この状態でもう一方の手で洗濯物をハンガーにかけ装着したのちバネを緩めて鋏持するが、該支持軸上部に設けられたストッパー１０により解放状態のまま固定して、物干し竿に該ハンガーを掛けて、洗濯物の装着作業を行うことも出来る。
【符号の説明】
【００１３】  １  ハンガー肩掛け部
２  肩掛け部洗濯物鋏持バー
３  ハンガーフック支持軸
４  コイルバネ
５  ハンガーフック支持軸に設けられた溝
６  ハンガー首部の穴
７  ハンガー下側枠部
８  下側枠部洗濯物鋏持用バー
９  フック基部
１０  ストッパー
【図１】
2018175816.tif 000003
【図２】
2018175816.tif 000004
【図３】
2018175816.tif 000005
(57)【要約】      （修正有）【課題】ゴルフボールにラインをひくとき、打ち出し方向に合わせやすく、ボールの正しい転がりも確認できる、ボールを１周する２本の平行ラインのひけるゴルフボールラインひき器具を提供する。【解決手段】本体ばね３の内側中央に、ゴルフボールを挟み込むためのカップＡ１と、カップＢ２の付いた構成を特徴とする。【選択図】図３
2018175811.tif 000002
【特許請求の範囲】
【請求項１】
（３）の本体ばね内側中央に、（１）のカップＡ、（２）のカップＢの底の部分を取り付けた、ゴルフボールラインひき器具。
【発明の詳細な説明】
【技術分野】
【０００１】この発明は、ゴルフボールを両側から挟みこみ、ゴルフボールの中央に、２本の平行なラインをひくための器具に関するものである。
【背景技術】
【０００２】従来、ゴルフボールラインひき器具で、ゴルフボールを１周する２本の平行線をひける器具は、ほとんどなかった。
【先行技術文献】
【特許文献】
【０００３】
【特許文献１】
【発明の概要】
【発明が解決しようとする課題】
【０００４】これは、次のような欠点があった。
従来、ゴルフボールのラインひき器具は、打ち出し目標に合わせる短いラインをひくものがほとんどで、ゴルフボールの転がり具合の正確性がは分かりづらい欠点があった。
本発明は、以上のような欠点をなくすためになされたものである。
【課題を解決するための手段】
【０００５】（３）の本体ばね中央の内側に、（１）のカップＡと（２）のカップＢの底の部分をとりつける。本発明は、以上の構成よりなるゴルフボールラインひき器具である。
【発明の効果】
【０００６】本体ばね中央を外側に開き、（１）Ａ、（２）Ｂ、両方のカップでゴルフボールを挟みこみ両カップの縁をペンでなぞる事で、正確な２本の平行ラインをひくことができる。
【図面の簡単な説明】
【０００７】
【図１】  本発明の上下部図である。
【図２】  本発明の側面図である。
【図３】  本発明の全体図である。
【図４】  本発明の使用図である。
【発明を実施するための形態】
【０００８】以下、本発明を実施するための形態について説明する。
（３）の本体ばねの内側中央に、ゴルフボールを挟み込むための（１）カップＡと（２）カップＢの底の部分を取り付ける。本発明は以上のような構造である。
これを使用するときは、（３）の本体ばね中央を外側に開き、ゴルフボールを挟み込む。（１）のカップＡ、（２）のカップＢのそれぞれの縁をペンで１周なぞって２本の平行なラインをひく。ゴルフボールを１周する２本の平行ラインをひくことで、目標に合わせやすく、正しいボールの転がりも確認できる。
【符号の説明】
【０００９】  １    カップＡ
２    カップＢ
３    本体ばね
４    ゴルフボール
５    ペン
６    平行ライン
【図１】
2018175811.tif 000003
【図２】
2018175811.tif 000004
【図３】
2018175811.tif 000005
【図４】
2018175811.tif 000006
(57)【要約】【課題】従来の鏡の曇り止めは撥水剤、親水剤などを利用し、表面加工を行うものか、電気やお湯などを使い、鏡自体を温め曇りをなくす方法が取られてきたが、前述の表面加工を行うものは効果が持続しづらく、後述の電気やお湯などを使った方法は設備工事必要性があり、容易性に欠けていた。【解決手段】極薄ガラスを使用し、ガラス本体の体積を可能な限り小さくし熱の伝導性を高め小量のかけ湯等でもガラスを瞬時に温め曇りを【選択図】図１
2018175810.tif 000002
【特許請求の範囲】
【請求項１】
極薄ガラスを使用した、浴室、シャワー室等の高温多湿になる場所での曇り抑制ガラス。
【発明の詳細な説明】
【技術分野】
【０００１】  本発明は、容易にかつ効果的に浴室内、シャワー室等の鏡の曇りを解決する方法である。
【背景技術】
【０００２】    浴室等の鏡は浴室内の温度上昇、湿度の高さにより曇りやすく見えにくくなる。従来の鏡の曇り止めは撥水剤、親水剤などを利用し、表面加工を行う物か、電気やお湯などを使い、鏡自体を温め曇りをなくす方法が取られてきた。【０００３】  しかし、前述の表面加工を行うものは効果が持続しづらく、後述の電気やお湯などを使った方法は設備工事の必要性があり、容易性に欠けていた。【０００４】この改善策として、熱伝導を効率化するため極薄ガラスを鏡に使用し、鏡が曇るといった問題を解決しようとしたものである。
【発明の概要】
【発明が解決しようとする課題】
【０００５】  解決しようとする問題点は、鏡が浴室内等の室温より低くなってしまうため、結露を起こし曇りを発生させ、見えづらくなる点である。
【課題を解決するための手段】
【０００６】  本発明は、鏡となる部分の熱伝導を高めるため極薄のガラス（試作品には０．３ｍｍの厚さのガラスを使用）を用いて、可能な限り（制作可能性、耐久性を考慮した上）鏡部分の体積を小さくし、かけ湯やシャワーなどで瞬時に鏡の温度を高め曇りの発生を抑えるものである。
【発明の効果】
【００７】  鏡にかけ湯をしたところ瞬時に、かけ湯をしたお湯相当の温度まで上昇し、曇りを抑える効果が見られた。その後浴室内温度まで徐々に下がり薄っすら曇り始めるが、既存の鏡と比べると格段に曇りを抑えることができた。また断熱、保温をすることにより更なる効果の持続が見られた。
【図面の簡単な説明】
【００８】
【図１】図１は極薄曇り解消鏡の保温を施した実施方法を示した説明図である。（実施例１）
【図２】図２は極薄曇り解消鏡のお湯を貯める事のできる部分を追加した実施方法を示した説明図である。（実施例２）
【発明を実施するための形態】
【実施例１】
【００９】  図１は、本発明品の実施例１の断面図であって、１ガラス部分、２メッキ部分、３断熱部分（スチレンロール、真空断熱等）、４補強部分（金属、強化プラスチック等）  ３の断熱部分により補強材による熱伝導を遮断しガラス部分を高温に保つ。ガラス部分にお湯をかけて温め、曇りを抑える効果を発揮する。【００１０】  図２は本発明品の実施例２の製品図であり、５極薄鏡部分、６保温用お湯ため部分（熱伝導率を考慮し極薄鏡部分との接触部分にはアルミを使用し他は断熱と制作性を考慮しアクリル＋スチロールを使用した、上部開放型の箱型としお湯を貯められるようにした）、７補強部分
このような構造により少量のお湯で、なおかつ容易にガラスを温めることができ曇り抑制の効果を発揮する。
【産業上の利用可能性】  極薄ガラスの製造単価がネックになっていたが、タブレット等の保護フィルム等で極薄ガラスの生産が安価でできるようになり、それを利用し手ごろな値段で製作できるようになり一般家庭にも十分提供できるものとなるであろう。
【図１】
2018175810.tif 000003
【図２】
2018175810.tif 000004
(57)【要約】【課題】飾り具を有するヘアゴムにおいて、ゴム輪を接着剤で取付具を用いて飾り具に取り付ける場合に、ゴム輪の取付具への挿入を容易にし、かつ取付具の接着面積を大きくすることを目的とする。  さらに、ゴム輪を取付具に固定する場合、取付具に接着剤を塗布と同時にゴム輪の取付具への接着を可能にすることを目的とする。【解決手段】接着面とゴム輪を通す穴を具備する取付具の接着面とゴム輪を通す穴の接着面側を軸方向にスリットで分割し、ゴム輪挿入時はスリット部を開口出来るようにする。【選択図】図３
2018175808.tif 000002
【特許請求の範囲】
【請求項１】
飾り具を有するヘアゴムにおいて、飾り具に接着剤と取付具を介してゴム輪を取り付ける場合、ゴム輪を通す穴を具備する取付具の接着面とゴム輪を通す穴の接着面側を軸方向にスリットで分割し、スリット部を開口可能となしたることを特徴とする飾り具付ヘアゴムの取付具。
【発明の詳細な説明】
【技術分野】
【０００１】  本発明は、飾り具を有するヘアゴムの構造に関する。
【背景技術】
【０００２】  従来の飾り具を有するヘアゴムは、飾り具にゴム輪を接着剤を用いて取り付ける場合、Ｕ字形状の取付具を使用し、Ｕ字溝にゴム輪を通し、Ｕ字の上面の平らな部分に接着剤を塗布し飾り具に固定する方法が一般的である。【０００３】  以下、図１により従来の取付具について説明する。図において１は飾り具で、その底部にあらかじめゴム輪４を装着したＵ字型取付具２が接着剤５により接着接合されている
【発明の概要】
【発明が解決しようとする課題】
【０００４】  以上に述べた従来の飾り具を有するヘアゴムでは、飾り具にゴム輪を接着剤を用いて取り付ける場合、一般的にＵ字形状の取付具を使用し、Ｕ字溝にゴム輪を通し、Ｕ字の上面の平らな部分に接着剤を塗布し飾り具に固定するため、接着面積が小さく接着強度が弱いという欠点があった。
一方この方法で接着強度を上げるためには、Ｕ字の上部の接着フランジを大きくし接着面積を大きくするため取付具が大きくなり、外観や装着時の感触を損なう欠点があった。【０００５】  本発明は、このような従来の取付具が有していた問題を解決しようとするものであり、小さい取付具で、大きい接着強度を確保することを目的とする。
【課題を解決するための手段】
【０００６】  上記課題を解決するために、ゴム輪を通す穴を具備する取付具の接着面とゴム輪を通す穴の接着面側を軸方向にスリットで分割し、ゴム輪挿入時はゴム輪を通す穴をスリット部をＵ字状に開き、接着時はＵ字上部が閉じ接着面積を大きくする飾り具付ヘアゴムの取付具を構成するものである。【０００７】  上記の問題解決手段による作用は、取付具を大きくすることなく十分な接着面積を確保出来、かつ取付時のゴム輪挿入も容易に出来る。
【発明の効果】
【０００８】  上記のように構成された飾り具を有するヘアゴムは、ゴム輪を容易に取り付けることが出来ると同時に、接着面積を大きくすることが可能となる。
さらに、ゴム輪を接着剤で固定したい場合にはスリット間隙の利用により取付具の固定と同時にゴム輪を固定することが出来る。
【図面の簡単な説明】
【０００９】
【図１】従来の飾り具付ヘアゴムの正面図である。
【図２】本発明の飾り具付ヘアゴムの斜視図である。
【図３】本発明の取付具の斜視図である。
【図４】本発明の取付具のゴム輪装着時の正面図である。
【図５】本発明の取付具の接着剤塗布時の正面図である。
【発明を実施するための形態】
【００１０】  本発明の実施例について図面を参照して説明すると、図１は従来のゴム輪取付具の一般的な正面図で、図２〜５は本発明の図である。
【００１１】  従来の図１の取付具２はゴム輪の直径分が軸方向に接着面が無いため、接着面積がその分少なくなるのに対し、本発明は図３の取付具３の如くゴム輪４の直径分まで接着面６を確保することが出来る。
【００１２】  さらに図４のように、ゴム輪４の挿入時は取付具３のスリット７を開口することにより簡単にゴム輪４を取付具３のゴム輪通し穴８に装着することが出来る。
【００１３】  また、ゴム輪４を固定したい場合には、図５の如くスリット７の間隙を利用して、接着剤５をゴム輪４まで浸透させることにより、取付具３を飾り具１に接着すると同時にゴム輪４の固定も可能となる。
【符号の説明】
【００１４】        １    飾り具
２    従来の取付具
３    本発明の取付具
４    ゴム輪
５    接着剤
６    接着面
７    スリット
８    ゴム輪通し穴
【図１】
2018175808.tif 000003
【図２】
2018175808.tif 000004
【図３】
2018175808.tif 000005
【図４】
2018175808.tif 000006
【図５】
2018175808.tif 000007
(57)【要約】【課題】素人が片手で持てるくらいの重さの木材で安価で容易に小家屋をたてられることを提供する。【解決手段】片手でもてる木材をあらかじめ工場で切断し、ボルトをとおす穴をあけてから、現場にとどけて、現地の組み立て作業を簡素にする。  なお、素人が組み立て方法を容易にイメージができるような大きな模型をつくって見てもらうこととする。【選択図】図１
2018145770.tif 000002
【特許請求の範囲】
【請求項１】
柱と梁と垂木を三角形の一体構造。
【請求項２】
柱と柱の間、梁と梁の間、垂木と垂木の間、に鉄の棒を何本も通す。
【発明の詳細な説明】
【技術分野】
【０００１】この発明は組み立て小家屋にかんするものである。
【背景技術】
【０００２】従来、住宅建築に使う木材は太く重いので一人で組み立てることはできなった。
【先行技術文献】
【特許文献】
【０００３】
【発明の概要】
【発明が解決しようとする課題】
【０００４】従来の建築は、次のような次のような欠点があった。
（イ）骨組みの木材は太く重いので組み立てるには専門職が大型クレーンを使わないとできなかった。
（ロ）小住宅でも大工の人権費が高いので建築費が高く、大都市から地方へ集団で移住することをさまたげている一因であった。つまり地方創生の促進をさまたげてきていた。
【課題を解決するための手段】
【０００５】（イ）片手で持ち上げる軽さの木材をボルト等々で構造を組み立てる。
（ロ）建築現場で骨組の組み立て作業が簡単にできるように、あらかじめ工場で木材を切断しボルトの穴をあけて、提供をする。
【発明の効果】
【０００６】（イ）素人が小家屋を容易に安価で建てることができるようになる。
（ロ）年金など収入の少ない人たちが、家庭菜園付きで地方に集団で移住を容易にすることで、地方創生を促進したい。また、耕作放棄地の再生に寄与できる。
【図面の簡単な説明】
【０００７】
【図１】  本発明の斜視図である。
【発明を実施するための形態】
【０００８】以下、本発明を実施するための形態について説明をする。
柱と梁をボルト等々で結合し、梁の中央に棟を支える柱をボルト等々で結合して立てる。次に垂木を棟の柱と梁にボルト等々で結合をする。柱と柱の間に鉄の棒を何本も差しこみ通して強度を高める。軒先は柱・梁・垂木が三角形の一体構造にするので、強度が高まる。
なお、素人が１人で組み立て作業を容易にするために、ボルトはあらかじめ差し込んで、柱・梁・垂木の穴に入れることを容易にするために、ボルトの頭にガムテープ等をかぶせるように張り付ける。
【符号の説明】
【０００９】１  柱
２  梁
３  垂木
４  鉄棒
５  ボルト
【図１】
2018145770.tif 000003
(57)【要約】      （修正有）【課題】工業用テープのコストダウンと、極細幅のテープの作製と、をできる工業用テープの提供。【解決手段】ガラス繊維にシリコンラバーを含浸させたものを一層又は二層にしたもの，ポリエステル，ガラスクロス，カプトンをキャリヤ（担体）として限定し、これに感圧性接着材をコーティングしたもの５を紙製ではなくプラスチックで造ったコア６に限定してこれに巻き付け、原反の幅寸法を９７５ｍｍに限定した工業用テープ４であり、スリットして０．０６ｍｍ幅のテープを製造できる工業用テープ４。【選択図】図２
2018035244.tif 000002
【特許請求の範囲】
【請求項１】
ガラス繊維にシリコンラバーを含浸させたものを一層又は二層にしたもの，ポリエステル，ガラスクロス，カプトンをキャリヤ（担体）として限定し、これに感圧性接着材をコーティングしたものを紙製ではなくプラスチックで造ったコアに限定してこれに巻き付け、原反の幅寸法を９７５ｍｍに限定したことを特徴とする工業用テープ。
【発明の詳細な説明】
【技術分野】
【０００１】
本発明は工業用テープに関する。
【背景技術】
【０００２】
ガラスクロスにシリコンラバーを含浸させたもの，ポリエステルテープ，ガラスクロス，カプトンをキャリヤ（担体）にした工業用テープは、産業界のあらゆる分野において例えば、自動車業界，電力業界，飛行機業界等において、広く使用されている。接着力が強い，両面の接着が可能，高温度或いは低温度に耐えうるとか等のものがある。
図１は公知の工業用テープのジャンボロール（原反）を示す図である。１は工業用テープジャンボロール（原反）で幅が３６インチ（９１６ミリ）で紙でつくった管（紙管）3に巻かれている。
【発明の概要】
【発明が解決しようとする課題】
【０００３】
公知の工業用テープのコストダウンと極細幅のテープを作製できる工業用テープが作れないという問題があった。
本発明はこのような課題に鑑みてなされたものである。
【課題を解決するための手段】
【０００４】
公知の工業用テープ基材において、ジャンボ幅を３６″（９１６ｍｍ）から９７５ｍｍに約６０ｍｍ広げ且つこのジャンボロールを巻くコアはプラスチック製とする。
【発明の効果】
【０００５】
本発明によれば、従来のものより幅が大きいので、これからスリットして生産されるテープ一本当たりのコストが下がる。また、テープ芯がプラスチックでできているので、基材からテープを切り出すときにもテープの形状がくずれないので幅の狭いテープを作製することができるので、従来不可能な０．０６ミリの極小幅のテープを製造することができる。図３は本発明ジャンボロールから造られた極小幅工業用テープの一実施例を示す図である。従来技術では到底実現不可能な工業用テープを示している。その幅は0.06ｍｍ（60μｍ）と非常に狭いテープを造ることができる。また、ジャンボロールが幅広なのでスリットする時のマウント回数が減少し、レーパーコストが少なくなり、その点からもコストダウンになる。また、途中までスリットし、下引きして再度位置決めでずれを元の位置に直すエンゲージロスを減少するので、この点からもコストダウンになる。
【図面の簡単な説明】
【０００６】
【図１】従来の工業用テープのジャンボロールサイズを示す図
【図２】本発明の実施例を示す図
【図３】本発明ジャンボロールから造られた極小幅工業用テープの一実施例を示す図
【図４】一層及び二層のテープ形状を示す図
【発明を実施するための形態】
【０００７】
以下、図面を参照して本発明の実施例を詳細に説明する。図２は本発明の実施例を示す図である。図において、４は本発明にかかる工業用テープジャンボロールである。このジャンボロールの幅は９７５ｍｍであり、図1に示す従来のジャンボロールに比較して、幅方向が約６０ｍｍ長くなっている。従来幅３６インチ（９１６ｍｍ）より幅広くするほどよいのだが、運搬上の重量増加を抑え、コーティングマシンの増幅限度ギリギリの９７５ｍｍとしたのが本発明である。
【０００８】
５はテープ、６はテープ５が巻かれるコアである。４はテープ原反が巻かれているテープである。コア６の材料は、図１に示す従来の紙管とは異なり、プラスチックコア製である。このため本発明によれば、工業用テープを切り出すときに、その幅Ｗを狭くしてもプラスチックは紙より硬いのでその形状がくずれることがない。従って本発明により図３に示す如く、幅が１ミリ以下、例えば０．０６ミリの極めて狭い幅の工業用テープを造ることができ、例えば熔射極細テープを造ることができる。従って、工業用の生産性が向上する。
【０００９】
テープ５の材質は、図４に示す如くガラス繊維にシリコンラバーを含浸したのものの一層又は二層に蒸着して担体としたもの，ポリエステル，ガラスクロス，カプトンをキャリヤ（担体）としたものに感圧性接着材をコーティングしたものである。テープの厚さとしては、例えば薄い場合、１００μｍ程度のものが用いられるが、テープの厚さは、用途に応じて決定される。
【産業上の利用可能性】
【００１０】
本発明の工業用テープは、熔射業界，自動車業界，電力業界等あらゆる工業産業において利用される。
【符号の説明】
【００１１】
１    公知のテープジャンボロール（原反）
２    テープ
３    紙管
４    本発明工業用テープジャンボロール（原反）
５    ガラスクロスにシリコンラバーを含浸させたもの，ポイエステル，ガラスクロス，カプトンをキャリヤ（担体）としてこれに感圧性接着材をコーティングしたもの、６はプラスチックコアである。
６  プラスチックコア
７  本発明ジャンボロールによる超極小幅テープの完成品
８  シリコンラバー含浸ガラスクロス
９  蒸着部
１０  接着剤
【図１】
2018035244.tif 000003
【図２】
2018035244.tif 000004
【図３】
2018035244.tif 000005
【図４】
2018035244.tif 000006
(57)【要約】      （修正有）【課題】常に変化して止まない風向きに対して、回転翼の角度を固定せず、風向に対応して自在な角度で風力を最大抵抗で受け止めて高効率で風車の回転力に変換する蓋型開閉翼機構による竪型回転風車を提供する。【解決手段】支柱２を軸に回転し上下対称に形成された上部アーム４と下部アーム５に、翼取付けフレーム６が有り、翼取付けフレームに軸留めされて、左右の各フレーム毎に３枚の縦長翼板８が設けられ、絶えず変化する風向に対して、自在に対応して角度を変え、支柱を挟む左右において逆対称的に開‐閉することを特徴とする蓋型開閉翼機構による竪型回転風車。【選択図】図２
2018035801.tif 000002
【特許請求の範囲】
【請求項１】
台座から立ち上がった支柱の、間隔を置いた上下二点のそれぞれの位置において、支柱を中心に水平双方向に伸びるアームが２本、相互に交差して設けられ、これが上下対称になる形で、上部アームと下部アームが形成されており、これらアームは支柱を軸として回転し、
各アームには、回転方向の片側にＬ型の翼取付けフレームが設けてあるが、支柱を挟む左右関係においては相互に逆対称側に設けてあり、上部アーム‐下部アームとの上下関係においては正対称側に設けてあり、
対称関係にある各々の上部アーム‐下部アームの間に、縦長の翼板３枚又は複数枚が外側即ちアーム末端側から支柱側へ縦列設置されているが、各翼板は上下の短手外側端部において翼取付けフレームに翼軸で留め固定され、風向に直交〜平行の９０°幅域で自在に軸回転して蓋の様に開閉する蓋型開閉翼を成すことを特徴とする蓋型開閉翼機構による竪型回転風車。
【発明の詳細な説明】
【技術分野】
【０００１】  本発明は、回転翼が開閉することによって、風力を効率よく捕える竪型風車に関する。
【背景技術】
【０００２】  従来、様々な型の風車と同様、竪型風車も風向に対する回転翼の角度は一定に固定されていた。
【発明の概要】
【発明が解決しようとする課題】
【０００３】  従来の縦型風車は、普段に変化して止まない風向き対し、風車の回転翼の角度は一定に固定されたままであり、瞬間々々の絶えざる風向の変化に反応しつつ最も抵抗ある角度で風を捕捉する順応性がなく、風力をより効率的に風車の回転運動に変換することができなかった。
本発明は、以上の様な問題点を解決するためになされたものである。
【課題を解決するための手段】
【０００４】  台座から立ち上がった支柱の、間隔を置いた上下二点のそれぞれの位置において、支柱を中心に水平双方向に伸びるアームが２本、相互に交差して設けられ、これが上下対称になる形で、上部アームと下部アームが形成されており、これらアームは支柱を軸として回転する。
各アームには、回転方向の片側にＬ型の翼取付けフレームが設けてあるが、支柱を挟む左右関係においては相互に逆対称側に設けてあり、上部アーム‐下部アームとの上下関係においては正対称側に設けてある。
対称関係にある各々の上部アーム‐下部アームの間に、縦長の翼板３枚又は複数枚が外側即ちアーム末端側から支柱側へ縦列設置されているが、各翼板は上下の短手外側端部において翼取付けフレームに翼軸で留め固定され、風向に直交〜平行の９０°幅域で自在に軸回転して蓋の様に開閉する蓋型開閉翼を成す。
左右逆対称的な側に設けてある翼取付けフレームに相応して、それに翼軸で軸留めされている蓋型開閉翼は、支柱を挟む左右の一方側において、風向を遮って風力をより強く受け止めるために、上下端部域が翼軸側から先端まで翼取付けフレームにピッタリ押付けられて、蓋が閉じられた様になる。その同じ時、支柱を挟む左右の他方側においては、蓋型開閉翼の翼板の先端は取付けフレームから離れ、風向きに平行になって風の抵抗を素通りさせる。
この様にして、支柱を軸に回転するアームの左右において、蓋型開閉翼の開‐閉は次々と左右の位置を交替し、斯くして風がどの方向から来ても風力の抵抗を最大に受け止めて、風車のより強い回転力に換える。
以上を特徴とする蓋型開閉翼機構による竪型回転風車である。
【発明の効果】
【０００５】  蓋型開閉翼が左右逆対称的な対構造に基づいて、同一瞬間に常に逆対称的に開閉し、左右の一方が風を最大抵抗の角度で捕える時、他方はかぜを最大限に逃がして対の相手側の回転を妨げないので、どの方向からの風に対しても、非常に高効率で回転エネルギーに変換される。
【図面の簡単な説明】
【０００６】
【図１】  本発明を上部アームの上から見た平面図
【図２】  本発明の正面図
【図３】  図１の状態にある本発明において、上部アームを取り去って下部アームが見える形で示した平面図
【図４】  本発明の一部である蓋型開閉翼の一つを、図１及び図３における矢示方向から見た側面図
【発明を実施するための形態】
【０００７】  台座（１）から立ち上がった支柱（２）の、間隔を置いた上下二点のそれぞれの位置において、支柱（２）を中心に水平双方向に伸びるアーム（３）が２本、相互に交差して設けられ、これが上下対称になる形で、上部アーム（４）と下部アーム（５）が形成されており、これらアーム（３）は支柱（２）を軸として回転する。
各アーム（３）には、回転方向の片側にＬ型の翼取付けフレーム（６）が設けてあるが、支柱（２）を挟む左右関係においては相互に逆対称側に設けてあり、上部アーム（４）‐下部アーム（５）との上下関係においては正対称側に設けてある。
対称関係にある各々の上部アーム（４）‐下部アーム（５）の間に、縦長の翼板（８）３枚又は複数枚が外側即ちアーム（３）末端側から支柱（２）側へ縦列設置されているが、各翼板（８）は上下の短手辺（９）外側端部において翼取付けフレーム（６）に翼軸（７）で留め固定され、風向に直交〜平行の９０°幅域で自在に軸回転して蓋の様に開閉する蓋型開閉翼（１０）を成す。
本発明は以上の様な構成であり、以下、その実施形態を説明する。
左右逆対称的な側に設けてある翼取付けフレーム（６）に相応して、それに翼軸（７）で軸留めされている蓋型開閉翼（１０）は、支柱（２）を挟む左右の一方側において、風向を遮って風力をより強く受け止めるために、上下端部域が翼軸（７）側から先端まで翼取付けフレーム（６）にピッタリ押付けられて、蓋が閉じられた様になる。その同じ時、支柱（２）を挟む左右の他方側においては、蓋型開閉翼（１０）の翼板（８）の先端は取付けフレーム（６）から離れ、風向きに平行になって風の抵抗を素通りさせる。
この様にして、支柱（２）を軸に回転するアーム（３）の左右において、蓋型開閉翼（１０）の開‐閉は次々と左右の位置を交替し、斯くして風がどの方向から来ても風力の抵抗を最大に受け止めて、風車のより強い回転力に換える。
【符号の説明】
【０００８】１  台座，      ２  支柱，      ３  アーム，      ４  上部アーム，
５  下部アーム，      ６  翼取付けフレーム，      ７  翼軸，
８  翼板，      ９  短手辺，      １０  蓋型開閉翼
【図１】
2018035801.tif 000003
【図２】
2018035801.tif 000004
【図３】
2018035801.tif 000005
【図４】
2018035801.tif 000006